(57)【要約】【課題】廉価に生産でき、安定して起立を保持する保冷材等の補助収容部を備えた包装箱を提供する。【解決手段】本発明の包装箱の補助収納部構造は、底板２の回りに周壁を立設し、該周壁の下端内側に所定の広さを持つ底スペース１７を介して仕切壁２１を立設し、仕切壁２１と上記周壁内面との間に補助収容部３１を形成した包装箱において、上記周壁の下端に内部方向に折曲げる底スペース１７を連設し、該底スペース１７の先端に底板２上に起立する仕切壁２１を折曲げ可能に連設した。そして上記仕切壁２１を起立方向に保持する保持手段として、起立状態で底辺が底板２に当接するフラップ２２を仕切壁２１の端部に折曲げ可能に連設するとともに、該フラップ２２の折目２６が起立状態で内側に傾斜し、フラップ２２の底辺と折目２６との角度θを鈍角とした。また上記の起立方向に保持する保持手段として、仕切壁２１の底板２側下向きに起立する爪２４を設けた。【選択図】          図２
2004315024.tif 000002
【特許請求の範囲】
【請求項１】
底板（２）の回りに周壁を立設し、該周壁の下端内側に所定の広さを持つ底スペース（１７）を介して仕切壁（２１）を立設し、仕切壁（２１）と上記周壁内面との間に補助収容部（３１）を形成した包装箱において、上記周壁の下端に内部方向に折曲げる底スペース（１７）を連設し、該底スペース（１７）の先端に底板（２）上に起立する仕切壁（２１）を折曲げ可能に連設し、該仕切壁を起立方向に保持する保持手段を設けた包装箱の補助収容部構造。
【請求項２】
上記保持手段が仕切壁（２１）の端部に折曲げ可能に連設され、起立状態で底辺が底板（２）に当接するフラップ（２２）である請求項１の包装箱の補助収容部構造。
【請求項３】
フラップ（２２）の折目（２６）が起立状態で内側に傾斜する請求項２の包装箱の補助収容部構造。
【請求項４】
フラップ（２２）の底辺と折目（２６）との角度θが鈍角である請求項２又は３の包装箱の補助収容部構造。
【請求項５】
上記保持手段が仕切壁（２１）の底板（２）側下向きに起立する爪（２４）である請求項１，２，３又は４の包装箱の補助収容部構造。
【請求項６】
爪の基端部側の折目（２３ａ）と平行な折目（２３ｂ）を底板（２）側に形成し、該折目（２３ａ）と折目（２３ｂ）により折曲代（２７）を形成した請求項５の包装箱の補助収容部構造。
【発明の詳細な説明】
【０００１】
【発明の属する技術分野】
この発明はケーキ等の収容物を収容する包装箱に関し、特に保冷材やローソク，表示プレートその他の付属品等を収容する包装箱の補助収容部構造に関する。
【０００２】
【従来の技術及び発明が解決しようとする課題】
従来、保冷材等の補助収容部を備えた折り畳み式の包装箱は図６に示すものが知られている。包装箱５１は、天板５２，右側壁５３ａ，底板５４，左側壁５３ｂが折曲げ可能に連設された構成となっており、左側壁５３ｂの上端から天板５２側の接着代５６を介して仕切壁５７が右側壁５３ａ側に形成され、該仕切壁５７の終端は底板５４右上端面に接着固定され、そして仕切壁５７と右側壁５３ａにより保冷材等の収容部として補助収容部５８が形成されている。
また前部に形成された開口部は、天板５２，右側壁５３ａ，底板５４，左側壁５３ｂにそれぞれ折曲げ可能に連設された前壁５９ａ，右前フラップ６１ａ，前壁５９ｂ，左前フラップ６１ｂによって閉塞され、前壁５９ａ先端に設けられた係止片６２が前壁５９ｂに形成された係止孔６３に挿入係止され箱組みされる。なお後部に形成された開口部も前部と同様に閉塞される。
その他、天板５２には該一部を切り取って把手６４が形成され、上記の仕切壁５７には冷気の通り道として通気孔６６が形成されている。
【０００３】
しかし上記の保冷材等の補助収容部を備えた折り畳み式包装箱は、一体の用紙により形成されるものの、天板と略同面積の接着代５６を設けているために、余分な用紙が必要となりコスト高となっていた。また接着代を多く必要とするために接着剤も多量に必要となるほか、工場出荷前の接着作業が非能率的であった。
【０００４】
また上記従来例のほかに、下記の特許文献１に示すように保冷材収容部を備え、上部に開口部を設けた一体の紙からなる包装箱が公知であるが、同文献図１０に示すように、仕切板７２は箱高さに相当する紙が必要となりコスト高になるほか、把手（取出片７０，７１）の係合片６０，６１の切抜き孔が出し入れ口になっているので、長さや幅のある収容物の出し入れが困難であるとの欠点があった。
この発明は、これらの課題を解決又は改善しようとするものである。
【０００５】
【特許文献１】
登録実用新案第３０７５５２５号公報（図１０）
【０００６】
【課題を解決するための手段】
上記課題を解決するための本発明の包装箱の補助収容部構造は、第１に、底板２の回りに周壁を立設し、該周壁の下端内側に所定の広さを持つ底スペース１７を介して仕切壁２１を立設し、仕切壁２１と上記周壁内面との間に補助収容部３１を形成した包装箱１において、上記周壁の下端に内部方向に折曲げる底スペース１７を連設し、該底スペース１７の先端に底板２上に起立する仕切壁２１を折曲げ可能に連設し、該仕切壁２１を起立方向に保持する保持手段を設けたことを特徴としている。
【０００７】
第２に、上記保持手段が仕切壁２１の端部に折曲げ可能に連設され、起立状態で底辺が底板２に当接するフラップ２２であることを特徴としている。
【０００８】
第３に、フラップ２２の折目２６が起立状態で内側に傾斜することを特徴としている。
【０００９】
第４に、フラップ２２の底辺と折目２６との角度θが鈍角であることを特徴としている。
【００１０】
第５に、上記保持手段が仕切壁２１の底板２側下向きに起立する爪２４であることを特徴としている。
【００１１】
第６に、爪の基端部側の折目２３ａと平行な折目２３ｂを底板２側に形成し、該折目２３ａと折目２３ｂにより折曲代２７を形成したことを特徴としている。
【００１２】
【発明の実施の形態】
以下本発明の実施形態を図面に基づき説明する。図１は保冷材等の補助収容部を備えた折り畳み式包装箱の組立状態を示す斜視図であり、図２は同じく開蓋状態を示す斜視図、図３は展開図である。
【００１３】
包装箱１は図３に示すように、底板２，左側壁３ａ，天板４，右側壁３ｂが折曲げ可能に連設された構成となっており、底板２には前後壁６ａ，６ｂが、左側壁３ａには左前後フラップ７ａ，７ｂが、天板４には内前後壁８ａ，８ｂが、右側壁３ｂには右前後フラップ９ａ，９ｂがそれぞれ前後部の開口部の閉塞手段として折曲げ可能に連設されている。また前後壁６ａ，６ｂの先端には係止片１１が連設され、天板４と内前後壁８ａ，８ｂの折目には係止孔１２が形成されている。この例では、周壁は側壁３ａ，３ｂと前後壁６ａ，６ｂ等によって構成される。
【００１４】
さらに天板４には、該天板４の一部をＵ字型に切り取った一対の把手１３が設けられており、把手１３により切残し形成された切残し孔１４を、例えば天板４の内側から透明樹脂シート等を貼着することにより該切残し孔１４を閉塞し、塵やゴミ等の侵入を防止するとともに、ケーキ等の内容物を見ることが可能な窓とすることもできる。ちなみに図６に示す従来例では、天板と略同面積の接着代５６を設けているために、天板に切残し形成された孔から内容物を見ることはできない。
【００１５】
また底板２の右端部を始端部とし、右側壁３ｂの下端部を終端部とすると、始端部には接着代１６ａが設けられ、該接着代１６ａに対応する接着代１６ｂを備えた底スペース１７が終端部側に折曲げ可能に連設されており、該底スペース１７を介して仕切壁２１が連設されている。
【００１６】
仕切壁２１には起立保持手段として、両端に折曲げ可能に連設されたフラップ２２と，仕切壁の折目２３ａ側に下向きに起立する複数個の爪２４がそれぞれ設けられている。仕切壁２１の起立保持手段としては、いずれか一方でも可能であるが、仕切壁２１の起立状態を安定して保持するためには、フラップ２２と爪２４がともに形成されていることが望ましい。
【００１７】
図３の展開図に示すように、フラップ２２の折目２６は起立状態で内側に傾斜している。また該折目２６とフラップ２２の底辺に挟まれた角度をθとすると、θを鈍角としているので、仕切壁２１の起立状態において、該仕切壁２１の起立保持手段の一つであるフラップ２２を左側壁３ａ方向に回動させて、図５に示すように仕切壁２１を包装箱１の外側方向に傾斜支持することができる。
【００１８】
また折目２３ａと平行な折目２３ｂを底板２側に形成し、折目２３ａと折目２３ｂによって折曲げ代２７が形成されている。なお仕切壁２１を起立させる際に負荷を接着代１６ａ，１６ｂに掛けない様に、折目２３ｂの形成位置は爪２４と略同一の高さか又は爪２４の高さ以上に形成することが望ましい。
さらに仕切壁２１には、該起立状態において保冷材３１から放出される冷気の通り道として通気孔２８が形成されている。
【００１９】
以上のような構成により箱組みされる保冷材等の補助収容部を備えた折り畳み式包装箱は、底板２に設けられた接着代１６ａに対し、右側壁３ｂ下端に連設された底スペース１７の接着代１６ｂを接着し、包装箱１の骨格を形成する。そして仕切壁２１を起立させ、該仕切壁２１の起立保持手段の一つである爪２４を底板２に対して突き立て、もう一方の起立保持手段であるフラップ２２を左側壁３ａ方向に略９０°回動させ、仕切壁２１の起立を安定させ、包装箱１内の空間を仕切壁２１によってケーキ等の収容部として左側壁３ａ側に主収容部２９を形成し、保冷材等の収容部として右側壁３ｂ側に補助収容部３１を形成する。そして前後部の開口部を前後壁６ａ，６ｂ，左前後フラップ７ａ，７ｂ，内前後壁８ａ，８ｂ，右前後フラップ９ａ，９ｂにより閉塞し、上記係止片１１を係止後１２に挿入係止して箱組みする。
【００２０】
上記の包装箱１にケーキ等の内容物を挿入する際には、仕切壁２１を起立させ、後部開口部を前述の閉塞手段により閉塞した後、仕切壁２１に連設された前壁側のフラップ２２を回動させない状態で、内容物を平行移動させて主収容部２９内に挿入載置し、フラップ２２を左側壁３ａ側に回動させた後、保冷材等を補助収容部３１内に載置して設け、前部開口部を前述の閉塞手段によって閉塞する。
【００２１】
なお保冷材３２は図２，４，５に示すように右側壁３ｂと仕切壁２１により形成された補助収容部３１内に載置して設けているが、保冷材３２を使用しない場合は、ケーキ等の内容物を装飾する備品やその他のものを置くためのスペースとして使用することができる。
またこの例では、前後部に開口部を設け、右側壁側に補助収納部を形成した包装箱について説明したが、上記態様に限らず、開口部を上部に形成したものでも可能である。
【００２２】
【発明の効果】
以上の如く構成される本発明の包装箱の補助収容部構造によれば、以下に示すような効果を奏するものである。
（１）側壁の終端側に先端が自由端となる仕切壁を設けたので、従来品よりも少量の紙面積で製造することができるほか、接着代の面積も少ないので接着剤の使用量を減らすことができ、工場出荷前の接着の作業性が向上した。
【００２３】
（２）仕切壁の両端にフラップを折曲げ可能に連設したので、仕切壁の起立状態を安定して保持するとともに、ケーキ等を収容する内側スペースへの倒れ込みを防止することができる。したがってケーキ等の内容物を傷つけることがない。
【００２４】
（３）仕切壁の保持手段として底板側に起立する爪を複数個設けることにより、仕切壁の起立が安定するとともに、仕切壁の起立状態を全体にわたって保持することができる。
【００２５】
（４）図３の展開図に示すようにフラップの折目を内側に傾斜させ、フラップの底辺と折目の角度を鈍角とすることにより、仕切壁が外側に向かって傾斜支持されるので、安定してその起立状態を保つことができるとともに、保冷材等を内側に倒れ込むことなく保持でき、ケーキ等の内容物を損傷させることがない。
【００２６】
（５）仕切壁の折目と平行な折目を底板側に設け、該２つの折目により折曲代を形成したことにより、接着代の接着を円滑に行うことができるとともに、その接着を確実にすることができる。また仕切壁を起立させる際に、接着面に負荷をかけることなく容易に組立作業を行うことができる。
【図面の簡単な説明】
【図１】本発明の包装箱の組立状態を示す斜視図である。
【図２】本発明の包装箱の開蓋状態を示す斜視図である。
【図３】本発明の包装箱の展開図である。
【図４】本発明の包装箱の保冷材等の補助収容部を示す斜視図である。
【図５】本発明の包装箱の保冷材等の補助収容部を示す側面からの斜視図である。
【図６】従来の包装箱の開蓋状態を示す斜視図である。
【符号の説明】
１      包装箱
２      底板
３ａ    左側壁（周壁）
３ｂ    右側壁（周壁）
６ａ    前壁（周壁）
６ｂ    後壁（周壁）
７ａ    左前フラップ（周壁）
７ｂ    左後フラップ（周壁）
８ａ    内前壁（周壁）
８ｂ    内後壁（周壁）
９ａ    右前フラップ（周壁）
９ｂ    右後フラップ（周壁）
１７    底スペース
２１    仕切壁
２２    フラップ
２３ａ  折目
２３ｂ  折目
２４    爪
２６    折目
２７    折曲代
３１    補助収容部
【図１】
2004315024.tif 000003
【図２】
2004315024.tif 000004
【図３】
2004315024.tif 000005
【図４】
2004315024.tif 000006
【図５】
2004315024.tif 000007
【図６】
2004315024.tif 000008